(57)【特許請求の範囲】
【請求項１】
４本の柱と、前記柱の上端部間に架設される４本の天井梁と、前記柱の下端部間に架設される４本の床梁と、を含んで各々構成され、かつ隣接された箱型の一対の建物ユニットと、
前記建物ユニットの桁面における前記柱の下端部を第１のアンカーボルトにより基礎に固定する第１の固定部と、
前記桁面における前記床梁に設けられ、前記床梁の長手方向の両端部と水平荷重により当該床梁に作用する曲げモーメントの反曲点との各中間位置で、当該床梁を第２のアンカーボルトにより前記基礎に固定する第２の固定部と、を有し、
前記一対の建物ユニットにおける隣接した一対の前記床梁は、建物において複数箇所に設けられており、かつ、一の当該一対の床梁と他の一の当該一対の床梁とが相互に直交する方向に配置されており、
前記第２のアンカーボルトが接合される前記基礎は、地盤に埋設されたフーチングと、前記フーチングに立設されかつ上端部に一対の前記第２のアンカーボルトが挿入される一対のアンカー孔が穿設された立ち上がり部と、を有し、
さらに、前記隣接した一対の前記床梁を当該立ち上がり部に固定している当該一対の前記第２のアンカーボルトが、当該第２のアンカーボルトと対向しかつ対角線上に配置された主筋に対して直交して配置されたフープ筋によって平面視で略矩形状に取り囲まれることで、前記一対の床梁が水平方向に一体に連結されている、
建物ユニットの固定構造。
【請求項２】
前記第２の固定部は、前記床梁の下フランジを挟持する上挟持部及び下挟持部と、当該上挟持部及び当該下挟持部を連結する連結部とを含んだクリップナットを含んで構成されており、
前記上挟持部には、前記床梁よりも板厚が厚く設定されたワッシャプレートが固着され、前記ワッシャプレートにはナットが固着されている、
請求項１記載の建物ユニットの固定構造。
【請求項３】
請求項１又は請求項２に記載された建物ユニットの固定構造が適用された建物ユニットを１つ以上含んで構成されている、
ユニット建物。
【請求項４】
前記ユニット建物は、３層の積層構造とされており、
最下層の前記建物ユニットに、請求項１又は請求項２に記載された建物ユニットの固定構造が適用されている、
請求項３記載のユニット建物。
【発明の詳細な説明】
【技術分野】
【０００１】
本発明は、建物ユニットの固定構造及びユニット建物に関する。
【背景技術】
【０００２】
従来、建物ユニットを構成する柱の下端部と、柱の下端部に接合された部材とを、それぞれアンカーボルトで基礎に固定（緊結）し、柱の浮き上がりを抑制する。これにより地震荷重、風荷重などの水平荷重（以下、総称して「水平荷重」という）に対する曲げ耐力を向上させる方法が知られている。
【０００３】
例えば、下記特許文献１には、柱材の下端部と、柱材と梁材の接合部に設けられ、柱材及び梁材に溶着された補強部材とを、それぞれアンカーボルトで基礎に固定する固定構造が開示されている。柱の直下及び近傍から柱及び補強部材をそれぞれ基礎に固定するため、柱及びその近傍を基礎に強固に固定し、水平荷重により生じる柱の浮き上がりを抑制する。この結果、柱に作用する引抜荷重に対する耐力を向上させて、転倒に対する耐力を上げることが可能となる。
【先行技術文献】
【特許文献】
【０００４】
【特許文献１】特開２０１０−１７４４５２号公報
【発明の概要】
【発明が解決しようとする課題】
【０００５】
しかしながら、上記特許文献１に記載の固定構造では、柱材と、柱材及び梁材に溶着された補強部材とを固定することで、柱の浮き上がりを抑制する。このため、柱材を固定するアンカーボルトの締結点と、補強部材（梁材）を固定するアンカーボルトの締結点とが接近してしまう。この結果、引抜荷重に対する抵抗力が充分に得られないという問題があった。
【０００６】
本発明は上記事実を考慮し、断面形状や板厚等の建物ユニットの部材構成を変更することなく、建物ユニットの桁面の水平荷重に対する剛性を向上させることができる建物ユニットの固定構造及びユニット建物を得ることが目的である。
【課題を解決するための手段】
【０００７】
上記目的を達成するために、第１の態様に係る建物ユニットの固定構造は、４本の柱と、前記柱の上端部間に架設される４本の天井梁と、前記柱の下端部間に架設される４本の床梁と、を含んで構成される箱型の建物ユニットを有している。また、前記建物ユニットの桁面における前記柱の下端部を第１のアンカーボルトにより基礎に固定する第１の固定部を有している。また、前記桁面における前記床梁に設けられ、水平荷重により当該床梁に作用する曲げモーメントの反曲点を除いた位置で、当該床梁を第２のアンカーボルトにより前記基礎に固定する第２の固定部を有している。
【０００８】
第２の態様に係る建物ユニットの固定構造は、第１の態様に係る建物ユニットの固定構造において、前記第２の固定部が、前記床梁の長手方向の両端部と前記反曲点との各中間位置に設定されている。
【０００９】
第３の態様に係る建物ユニットの固定構造は、第１又は第２の態様に係る建物ユニットの固定構造において、前記第２のアンカーボルトが接合される前記基礎が、地盤に埋設されたフーチングと、前記フーチングに立設された立ち上がり部と、を有している。前記立ち上がり部の上端部には、アンカー孔が設けられており、当該アンカー孔に挿入されたアンカーボルトが主筋に対して直交して配置されかつ当該主筋を囲むフープ筋で囲まれている。
【００１０】
第４の態様に係る建物ユニットの固定構造は、第１乃至第３の態様のいずれか１態様に係る建物ユニットの固定構造において、前記第２の固定部が、クリップナットを含んで構成されている。クリップナットは、前記床梁の下フランジを挟持する上挟持部及び下挟持部と、当該上挟持部及び当該下挟持部を連結する連結部と、を含んで構成されている。前記上挟持部には、前記床梁よりも板厚が厚く設定されたワッシャプレートが固着され、前記ワッシャプレートにはナットが固着されている。
【００１１】
第５の態様に係るユニット建物は、第１〜第４の態様のいずれか１態様に係る建物ユニットの固定構造が適用された建物ユニットを１つ以上含んで構成されている。
【００１２】
第６の態様に係るユニット建物は、第５の態様に係るユニット建物において、３層の積層構造とされており、最下層の前記建物ユニットに、第１〜第４の態様のいずれか１態様に係る建物ユニットの固定構造が適用されている。
【００１３】
第１の態様に係る建物ユニットの固定構造によれば、箱型の建物ユニットの桁面における柱の下端部が、基礎に第１の固定部で第１のアンカーボルトによって固定される。また、同じ桁面における床梁が、水平荷重により床梁に作用する曲げモーメントの反曲点を除いた位置で、基礎に第２の固定部で第２のアンカーボルトによって固定される。これにより、桁面の２本の柱の下端部間に架設される床梁の基礎への固定点（アンカーボルトの締結点）が複数になり、第１の固定部及び第２の固定部の各固定点において引抜荷重に対する抵抗力が得られる。その結果、基礎に固定される建物ユニットの桁面の基礎への支持力が増加し、水平荷重に対して剛性が高い桁面が得られる。
【００１４】
第２の態様に係る建物ユニットの固定構造によれば、床梁の両端部と反曲点との各中間位置で、床梁が固定される。両端が第１の固定部で固定された床梁の場合、床梁の両端部と反曲点との各中間位置に最大曲げモーメントが作用する。従って、この位置に第２の固定部を設けると、曲げ耐力を得るのに効率が良い。
【００１５】
第３の態様に係る建物ユニットの固定構造によれば、立ち上がり部の上端部には、アンカー孔が設けられており、アンカー孔に挿入されたアンカーボルトがフープ筋で囲まれているため、アンカーボルトの周囲を補強することができる。このため、アンカーボルトに水平荷重に対する抵抗力が増強される。その結果、水平荷重が建物ユニットを介してアンカーボルトに作用した際に、アンカーボルトの周囲のコンクリートが剥落することを防止することができる。
【００１６】
第４の態様に係る建物ユニットの固定構造によれば、床梁の下フランジにおける第２の固定部の設置位置に、床梁よりも板厚が厚いワッシャプレートとナットが固着されたクリップナットが装着される。そして、第２のアンカーボルトを下挟持部側から挿入してナットに固定することで、床梁に第２のアンカーボルトを取付けることができる。このようにクリップナットを利用することにより、現場でのナット締結工程を省略し施工が容易になると共に、板厚の厚いワッシャプレートにより、第２の固定部の強度を容易に確保することができる。
【００１７】
第５の態様に係るユニット建物の固定構造によれば、ユニット建物が、第１〜第４の態様のいずれか１態様に係る建物ユニットの固定構造が適用された建物ユニットを１つ以上含んで構成されている。このため、その建物ユニットの桁面は、第１の固定点及び第２の固定点によってアンカーボルトで基礎に固定されることとなり、水平荷重に対する抵抗力が高いユニット建物が得られる。
【００１８】
第６の態様に係るユニット建物の固定構造によれば、建物ユニットが３層積層されており、上層２層の建物ユニットの自重が作用する最下層の建物ユニットに、第１〜第４のいずれか１態様に係る建物ユニットの固定構造が適用されている。ここで、水平荷重、例えば地震荷重は、建物の自重に比例するため、建物ユニットが複数（例えば３層）積層されている場合には、最下層ユニットの床梁に、上層２層の自重を加算した大きな水平荷重が作用する。このような場合に、最下層ユニットの床梁を固定することで、効果的にユニット建物の桁面の面剛性を向上させることができる。
【発明の効果】
【００１９】
以上説明したように、第１の態様に係る建物ユニットの固定構造は、断面形状や板厚等の建物ユニットの部材構成を変更することなく、建物ユニットの桁面の水平荷重に対する剛性を向上させることができるという優れた効果を有する。
【００２０】
第２の態様に係る建物ユニットの固定構造は、曲げモーメントによる撓みが大きくなる位置をアンカーボルトにより固定する結果、建物ユニットの桁面の水平荷重に対する剛性を効果的に向上させることができるという優れた効果を有する。
【００２１】
第３の態様に係る建物ユニットの固定構造は、建物ユニットの桁面の水平荷重に対する剛性をより一層向上させることができるという優れた効果を有する。
【００２２】
第４の態様に係る建物ユニットの固定構造は、施工が容易となる結果、現場での作業時間ひいては工期を短縮すると共に、板厚の厚いワッシャプレートを上挟持部に固着することにより、第２の固定部の強度を容易に確保できるという優れた効果を有する。
【００２３】
第５の態様に係るユニット建物は、断面形状や板厚等の建物ユニットの部材構成を変更することなく（即ち、ユニット工法の利点を損なうことなく）、水平荷重に対する耐力が強化されたプランの豊富化により、ユニット工法で構築される建物のプラン対応力を向上させることができるという優れた効果を有する。
【００２４】
第６の態様に係るユニット建物は、３層の積層構造とされたユニット建物を構築する場合においても、生産性を損なわず、水平荷重に対する抵抗力が高いユニット工法による建物を得ることができるという優れた効果を有する。
【図面の簡単な説明】
【００２５】
【図１】第１実施形態に係る建物ユニットの固定構造が最下層の建物ユニットに適用されたユニット建物の断面図（図２のＡ−Ａ線に沿った縦断面図）である。
【図２】図１に示されるユニット建物の基礎構造を中心に示す平面図である。
【図３】図１に示される建物ユニットの固定構造を模式的に示す概略構成図である。
【図４】図１に示される建物ユニットの固定構造の要部を示す縦断面図である。
【図５】図４に示される建物ユニットの固定構造により固定された床梁の平断面図である。
【図６】図４に示される建物ユニットの固定構造の分解斜視図である。
【図７】図２に示される梁受け基礎を拡大して示す縦断面図である。
【図８】図７に示される梁受け基礎を示す平面図である。
【図９】第２実施形態に係る建物ユニットの固定構造を示す図６に対応する分解斜視図である。
【発明を実施するための形態】
【００２６】
＜第１実施形態＞
以下、図１〜図８を用いて、本発明に係る建物ユニットの固定構造及びユニット建物の第１実施形態について説明する。
【００２７】
（ユニット建物１０の全体構成）
まず、図１及び図２を用いて、ユニット建物の全体構成について説明する。図１には、建物ユニットの配置を二点鎖線で図示すると共に、基礎を断面で図示したユニット建物の縦断面図が示されている。また、図２には、このユニット建物の下層部分の建物ユニットの割付けと基礎の伏図が示されている。
【００２８】
図１に示されるように、ユニット建物１０は、布基礎１４、柱受け基礎１６（図２参照）、梁受け基礎１８と、これらの布基礎１４、柱受け基礎１６、梁受け基礎１８上に構築された建物部分２０とによって構成されている。建物部分２０は、上層２２、中層２４及び下層２６の３層を積層した構造とされている。
【００２９】
図２に示されるように、下層２６は、中央部分２８と左側部分３０と右側部分３２との３つの部分に大きく区分けされている。中央部分２８には、標準サイズの２個の建物ユニット１２Ａとそのハーフサイズの１個の建物ユニット１２Ｂとが布基礎１４の妻方向に隣接して配置されている。また、左側部分３０には、中央部分２８に配置された建物ユニット１２Ａ、１２Ｂに対して直交して、サイズが異なる２個の建物ユニット１２Ｃ、１２Ｄが配置されている。建物ユニット１２Ｃ、１２Ｄの桁側のスパン長は、前述した３個の建物ユニット１２Ａ、１２Ｂの妻側のスパン長を合わせた長さとなっている。また、建物ユニット１２Ｄは、建物ユニット１２Ｃのハーフサイズとされている。さらに、右側部分３２には、左側部分３０で用いられたワイドサイズの建物ユニット１２Ｃが左側部分３０と同様に建物ユニット１２Ａ、１２Ｂに対して直交配置されている。なお、図２に示される破線は、建物ユニット１２Ａ〜１２Ｄの後述する床梁３８を示している。
【００３０】
また、以下の説明においては、上述した建物ユニット１２Ａ、１２Ｂ、１２Ｃ、１２Ｄを区別する必要がないときは、総称して「建物ユニット１２」と称す。さらに、布基礎１４についても、建物ユニット１２のどの面が据え付けられるかによって、「桁面布基礎１４Ａ」、「妻面布基礎１４Ｂ」と区別して図示しておく。
【００３１】
次に、建物ユニット１２のフレーム構造について概説する。図３に示されるように、各建物ユニット１２は、箱型ユニットとされており、四隅に立設された４本の柱３４と、対向する柱３４の上端部間に架設された４本の天井梁３６と、対向する柱３４の下端部間に架設された４本の床梁３８と、を含んで構成されている。柱３４と、天井梁３６及び床梁３８とは、それぞれ溶接により剛接合されており、建物ユニット１２はラーメン構造の建物ユニットとして一体化されている。
【００３２】
柱３４は、角形鋼管により形成されている。また、天井梁３６及び床梁３８は、溝形鋼とされている。床梁３８は、ウェブ３８Ａと上フランジ３８Ｂと下フランジ３８Ｃとによって構成されている（一例として図４参照）。天井梁２２も全く同様の溝形鋼が使用されているが、以降の説明で使用しないので、各部に符号を付すことは省略する。
【００３３】
（ユニット建物１０の要部構成）
図３には、本発明に係る建物ユニット１０の固定構造が適用された一例である建物ユニット１２Ａを模式的に図示した立面図が示されている。この図に示されるように、建物ユニット１２Ａにおいて屋内側に配置された桁面４０は、左右両端に配置された柱３４の下端部が第１の固定部４２によって柱受け基礎１６にそれぞれ固定されている。さらに、桁面４０の床梁３８が、長手方向の中間位置を除いた左右両側２か所で第２の固定部４４によって梁受け基礎１８にそれぞれ固定されている。上記固定構造が本実施形態に係る建物ユニット１２の固定構造の要部であると共に特徴でもあるので、以下、この点について詳細に説明する。
【００３４】
第１の固定部４２の構成は公知技術であるので、簡単に説明する。上記桁面４０の左右両端の柱３４の下端部には、図示しないベースプレートが予め溶接されている。建物ユニット１２Ａを布基礎１４及び柱受け基礎１６上に吊り込む際に、ベースプレートに第１のアンカーボルト４６（図２参照）が装着される。柱受け基礎１６の上端部には図示しないアンカ孔が形成されており、内部にグラウトが注入された状態で第１のアンカーボルト４６がアンカ孔内に装着されて固定されるようになっている。
【００３５】
一方、第２の固定部４４は、第１の固定部４２とは異なり、新たに設置されたものである。建物ユニット１２Ａの桁面４０の柱３４の上端部に水平荷重が作用したときに、床梁３８に作用する曲げモーメントの反曲点となる長手方向の中間位置を除いた位置に、第２の固定部４４が設定されている。本実施形態では、床梁３８の長手方向の端と中間点との２か所の中間位置に、第２の固定部４４がそれぞれ設定されている。
【００３６】
次に、第２の固定部４４の具体的な構成について説明し、更に第２の固定部４４が固定される梁受け基礎１８について説明する。
【００３７】
図４及び図５に示されるように、第２の固定部４４は、第２のアンカーボルト４８と、ナット５０と、クリップナット５２と、一対のスペーサ５４とを含んで構成されている。第２のアンカーボルト４８の上端部の外周面には雄ねじが形成されている。
【００３８】
クリップナット５２は、各々平面視で略矩形平板状に形成されている。そして、床梁３８の下フランジ３８Ｃを挟持する上挟持部５６及び下挟持部５８と、上挟持部５６及び下挟持部５８の対向する端部同士を下フランジ３８Ｃの板厚方向に連結する連結部６０とを含んで構成されている。連結部６０はＨ型に形成されている。また、これらの上挟持部５６、下挟持部５８及び連結部６０はプレス成形品とされている。
【００３９】
上挟持部５６の上端部には、上挟持部５６の全幅に亘って、床梁３８の板厚よりも厚く形成されているワッシャプレート６２が予め溶着され、ワッシャプレート６２の上端部には、ナット６４が予め溶着されている。
【００４０】
現場施工に際しては、図６に示されるように、まず、床梁３８の下フランジ３８Ｃにクリップナット５２が差し込まれる。このとき、下フランジ３８Ｃに形成されたボルト挿通孔６６と、ナット６４とが同軸上に位置されるように位置決めする。その後、クリップナット５２の下方側から第２のアンカーボルト４８の上端部がナット６４に螺合されると共に、ナット５０が締め込まれる。次に、一対のスペーサ５４を梁受け基礎１８に穿設されたアンカー孔６８の両側に載置し、建物ユニット１２Ａを吊り降ろしながら、グラウトが注入されたアンカー孔６８内へ第２のアンカーボルト４８が挿入される。グラウトが固化すれば、第２のアンカーボルト４８が梁受け基礎１８に固定される。
【００４１】
図７及び図８に示されるように、梁受け基礎１８は、地盤７０中に埋設されたフーチング７２と、フーチング７２に立設されると共に下部が地盤７０に埋設された立ち上がり部７４と、を含んで構成されている。立ち上がり部７４の上端部には、一対のアンカー孔６８（図８参照）が穿設され、第２のアンカーボルト４８がそれぞれ挿入されることにより、隣接する建物ユニット１２Ａの床梁３８が共通の梁受け基礎１８に固定されている。
【００４２】
梁受け基礎１８のフーチング７２内には底板配筋７６が配設されており、この底板配筋７６から複数の主筋７８が立ち上げられて立ち上がり部７４内に配設されている。そして、２本の第２のアンカーボルト４８を矩形状に取り囲むように、主筋７８に固定されたフープ筋８０が立ち上がり部７４の高さ方向に複数段に配設されている。なお、説明は省略するが、柱受け基礎１６も梁受け基礎１８と基本的には同様に構成されている。
【００４３】
（作用及び効果）
次に、本実施形態の作用及び効果について説明する。
【００４４】
本実施形態の建物ユニット１２の固定構造では、箱型の建物ユニット１２の桁面４０における柱３４の下端部が、布基礎１４、柱受け基礎１６に第１の固定部４２で第１のアンカーボルト４６によって固定される。また、同じ桁面４０における床梁３８が、水平荷重により床梁３８に作用する曲げモーメントの反曲点を除いた位置で、梁受け基礎１８に第２の固定部４４で第２のアンカーボルト４８によって固定される。これにより、桁面４０の２本の柱３４の下端部間に架設された床梁３８の布基礎１４、柱受け基礎１６、梁受け基礎１８の固定点（アンカーボルト４６、４８の締結点）が複数になり、第１の固定部４２及び第２の固定部４４の各固定点において引抜荷重に対する抵抗力が得られる。その結果、布基礎１４、柱受け基礎１６、梁受け基礎１８に固定される建物ユニット１２の桁面４０の布基礎１４、柱受け基礎１６、梁受け基礎１８への支持力が増加し、水平荷重に対して剛性が高い桁面４０が得られる。従って、断面形状や板厚等の建物ユニット１２の部材構成を変更することなく、建物ユニット１２の桁面４０の水平荷重に対する剛性を向上させることができる。
【００４５】
また、本実施形態では、床梁３８の両端部と反曲点との各中間位置で、床梁３８が固定される。両端が第１の固定部４２で固定された床梁３８の場合、床梁３８の両端部と反曲点との各中間位置に最大曲げモーメントが作用する。従って、この位置に第２の固定部４４を設けると、曲げ耐力を得るのに効率が良い。曲げモーメントによる撓みが大きくなる位置を第２のアンカーボルト４８により固定する結果、建物ユニット１２の桁面４０の水平荷重に対する剛性を効果的に向上させることができる。
【００４６】
さらに、本実施形態では、梁受け基礎１８の立ち上がり部７４の上端部には、アンカー孔６８が設けられており、アンカー孔６８に挿入された第２のアンカーボルト４８がフープ筋８０で囲まれているため、第２のアンカーボルト４８の周囲を補強することができる。このため、第２のアンカーボルト４８に水平荷重に対する抵抗力が増強される。その結果、水平荷重が建物ユニット１２を介して第２のアンカーボルト４８に作用した際に、第２のアンカーボルト４８の周囲のコンクリートが剥落することを防止することができる。建物ユニット１２の桁面の水平荷重に対する剛性をより一層向上させることができる
【００４７】
また、本実施形態では、床梁３８の下フランジ３８Ｃにおける第２の固定部４４の設置位置に、床梁３８よりも板厚が厚いワッシャプレート６２とナット６４が固着されたクリップナット５２が装着される。そして、第２のアンカーボルト４８を下挟持部５８側から挿入してナット５０に固定することで、床梁３８に第２のアンカーボルト４８を取付けることができる。このようにクリップナット５２を利用することにより、現場でのナット締結工程を省略し施工が容易になると共に、板厚の厚いワッシャプレート６２により、第２の固定部４４の強度を容易に確保することができる。施工が容易となる結果、現場での作用時間ひいては工期を短縮すると共に、板厚の厚いワッシャプレート６２を上挟持部５６に固着することにより、第２の固定部４４の強度を容易に確保できる。
【００４８】
さらに、本実施形態では、ユニット建物１０が、本実施形態に係る建物ユニットの固定構造が適用された建物ユニット１２を１つ以上含んで構成されている。このため、その建物ユニット１２の桁面４０は、第１の固定部４２及び第２の固定部４４によって第１のアンカーボルト４６、第２のアンカーボルト４８で布基礎１４、柱受け基礎１６に固定されることとなり、水平荷重に対する抵抗力が高いユニット建物１０が得られる。断面形状や板厚等の建物ユニット１２の部材構成を変更することなく（即ち、ユニット工法の利点を損なうことなく）、水平荷重に対する耐力が強化されたプランを豊富化できる。その結果、ユニット工法で構築される建物のプラン対応力を向上させることができる。
【００４９】
また、本実施形態では、建物ユニット１２が３層積層されており、上層２層の建物ユニット１２の自重が作用する最下層の建物ユニット１２に、本実施形態に係る建物ユニットの固定構造が適用された建物ユニット１２の固定構造が適用されている。ここで、水平荷重、例えば地震荷重は、建物の自重に比例するため、建物ユニット１２が複数（例えば３層）積層されている場合には、最下層の建物ユニット１２の床梁３８に、上層２層の自重を加算した大きな水平荷重が作用する。このような場合に、最下層の建物ユニット１２の床梁３８を固定することで、効果的にユニット建物１０の桁面４０の面剛性を向上させることができる。その結果、３層の積層構造とされたユニット建物１０を構築する場合においても、生産性を損なわず、水平荷重に対する抵抗力が高いユニット工法による建物を得ることができる。
【００５０】
＜第２実施形態＞
次に、図９を用いて、本発明に係る建物ユニット１２の固定構造の第２実施形態について説明する。なお、第１実施形態と同一構成の部材には、同一の符号を付し、重複した説明を省略する。
【００５１】
図９には、本実施形態に係る建物ユニット１２の固定構造の分解斜視図が示されている。図９に示されるように、本実施形態に係る建物ユニット１２の固定構造は、第２の固定部４４を構成するクリップナット５２に代えて、ナット８２が、床梁３８の下フランジ３８Ｃの上端部に溶着されている点に特徴がある。
【００５２】
具体的には、床梁３８の下フランジ３８Ｃの下方側から第２のアンカーボルト４８の上端部がナット８２に螺合されると共に、ナット５０が締め込まれる。次に、一対のスペーサ５４を梁受け基礎１８に穿設されたアンカー孔６８の両側に載置し、建物ユニット１２Ａを吊り降ろしながら、グラウトが注入されたアンカー孔６８内へ第２のアンカーボルト４８が挿入される。グラウトが固化すれば、第２のアンカーボルト４８が梁受け基礎１８に固定される。
【００５３】
本実施形態に係る建物ユニット１２の固定構造によれば、クリップナット５２が使用できない場合でも、床梁３８を梁受け基礎１８に固定することができ、また第２の固定部４４の部品点数を低減することができる。
【００５４】
＜本実施形態の補足説明＞
なお、本実施形態では、床梁２４の両端と反曲点との中間部に第２の固定部４４を設定したが、この位置に限定されるものではなく、床梁２４の両端と反曲点との間の位置を１箇所又は複数箇所固定してもよい。その場合でも、その位置に応じた効果が得られる。
【００５５】
また、本実施形態では、ユニット工法のメリットを最大化するためにあと施工アンカー方式が採用されていたが、これに限らず、現場作業が増えるが、先付けアンカー方式を採用してもよい。
【符号の説明】
【００５６】
１０    ユニット建物
１２    建物ユニット
１４    布基礎（基礎）
１６    柱受け基礎（基礎）
１８    梁受け基礎（基礎）
３４    柱
３６    天井梁
３８    床梁
３８Ｃ  下フランジ
４０    桁面
４２    第１の固定部
４４    第２の固定部
４６    第１のアンカーボルト
４８    第２のアンカーボルト
５２    クリップナット
５６    上挟持部
５８    下挟持部
６０    連結部
６２    ワッシャプレート
６４    ナット
６８    アンカー孔
７０    地盤
７２    フーチング
７４    立ち上がり部
７８    主筋
８０    フープ筋
【図１】
0006752006.tif 000002
【図２】
0006752006.tif 000003
【図３】
0006752006.tif 000004
【図４】
0006752006.tif 000005
【図５】
0006752006.tif 000006
【図６】
0006752006.tif 000007
【図７】
0006752006.tif 000008
【図８】
0006752006.tif 000009
【図９】
0006752006.tif 000010